(57)【要約】      （修正有）【課題】ユーザーの安静状態を知ることができるベッドを提供する。【解決手段】ベッド１００は、ユーザーが安静にするための空間を有するベッド本体１１０と、前記ベッド本体１１０に接続され、圧力検出機構を備える監視装置１２０と、前記圧力検出機構に電気的に連結された信号処理ユニットと、前記信号処理ユニットに電気的に接続された監視ユニットとを備える。圧力検出機構は、前記ベッド本体１１０の圧力変動を検出し、圧力データを生成し、前記圧力データを前記信号処理ユニットへ送信するように構成されている。前記信号処理ユニットは、前記圧力データを処理し、処理済信号データを生成するように構成されている。前記監視ユニットは、前記処理済信号データを監視するように構成されている。【選択図】図１
2020044334.tif 000002
【特許請求の範囲】
【請求項１】
ユーザーが安静にするための空間を有するベッド本体と、
前記ベッド本体に接続された監視装置とを備え、
前記監視装置は、
圧力検出機構と、
前記圧力検出機構に電気的に連結された信号処理ユニットと、
前記信号処理ユニットに電気的に接続された監視ユニットとを備え、
前記圧力検出機構は、前記ベッド本体の圧力変動を検出し、圧力データを生成し、前記圧力データを前記信号処理ユニットへ送信するたように構成され、
前記信号処理ユニットは、前記圧力データを処理し、処理済信号データを生成するように構成され、
前記監視ユニットは、前記処理済信号データを監視するように構成されている、
ベッド。
【請求項２】
請求項１に記載のベッドにおいて、
前記圧力データは、前記ユーザーの安静中に生成される前記ベッド本体の圧力変動データを備え、
前記信号処理ユニットは、前記圧力変動データに従って前記ユーザーの呼吸状態、心拍状態、および健康状態を感知するように構成されている、ベッド。
【請求項３】
請求項１に記載のベッドにおいて、
前記圧力データは、負荷状態および無負荷状態における前記ベッド本体の圧力差を含み、
前記信号処理ユニットは、前記圧力差に従って体重データを生成するように構成されている、ベッド。
【請求項４】
請求項１に記載のベッドにおいて、
前記圧力検出機構は、少なくとも１つのひずみゲージ圧力センサまたは圧電圧力センサを備える、ベッド。
【請求項５】
請求項１に記載のベッドにおいて、
前記信号処理ユニットは、データ処理を実施可能なシングルチップマイクロコンピュータまたはチップである。
【請求項６】
請求項１に記載のベッドにおいて、
前記監視ユニットは、有線または無線の通信により前記信号処理ユニットに電気的に連結されている。
【請求項７】
請求項１に記載のベッドにおいて、
前記ベッド本体を支持するベッドベースをさらに備え、
前記ベッド本体は、支持フレームおよび支持アームを備え、
前記支持フレームは、前記支持アームを介して前記ベッドベースと接続されている、ベッド。
【請求項８】
請求項７に記載のベッドにおいて、
前記監視装置は、前記支持フレームに設けられている、ベッド。
【請求項９】
請求項７に記載のベッドにおいて、
前記監視装置は、前記ベッドベースに設けられている、ベッド。
【請求項１０】
請求項７に記載のベッドにおいて、
前記監視装置は、前記支持アームに設けられている、ベッド。
【請求項１１】
請求項７に記載のベッドにおいて、
前記監視装置は、前記支持フレームと前記支持アームとの間の接続部に設けられている、ベッド。
【請求項１２】
請求項７に記載のベッドにおいて、
前記ベッドベースは、搭載部分と、前記搭載部分に接続された複数の支持脚とを備え、
前記支持アームは、前記搭載部分に回転可能に接続されている、ベッド。
【請求項１３】
請求項１に記載のベッドにおいて、
前記ベッド本体に設けられた表示装置をさらに備え、
前記表示装置は、前記信号処理ユニットに電気的に連結されて前記信号処理ユニットから送信されたデータを受信して表示する、ベッド。
【請求項１４】
請求項１３に係るベッドにおいて、
前記表示装置は、前記ベッド本体に取り外し可能に設けられている、ベッド。
【請求項１５】
請求項１に係るベッドにおいて、
前記信号処理ユニットとモバイル装置またはサーバーとの間で無線ネットワークを介してデータ相互作用を実施するように構成された無線通信装置をさらに備える、ベッド。
【請求項１６】
請求項１に記載のベッドにおいて、
前記監視装置に給電するように構成された電源装置をさらに備える、ベッド。
【請求項１７】
請求項１に記載の前記ベッドにおいて、
前記信号処理ユニットに電気的に連結され、前記信号処理ユニットから送信された前記データについての音声放送を行うように構成された音声放送ユニットをさらに備える、ベッド。
【請求項１８】
請求項１に記載のベッドにおいて、
前記監視装置は、レンジング信号を発するように構成された放出ユニットと、前記レンジング信号を受信するように構成された受信ユニットとを備え、
前記信号処理ユニットは、前記放出ユニットおよび前記受信ユニットと電気的に連結され、
前記放出ユニットおよび前記受信ユニットからのデータを処理して前記ユーザーの身長を取得するように構成されている、ベッド。
【請求項１９】
請求項１８に記載のベッドにおいて、
前記ベッド本体は、前記ユーザーの第１部分に当接する第１バッフル板と、前記第１バッフル板に対して相対的に移動可能なであり、前記ユーザーの第２部分に当接する第２バッフル板とをさらに備え、
前記第１部分および前記第２部分の一方は、前記ユーザーの先端頭部であり、他方は前記ユーザーの足底であり、
前記放出ユニットおよび前記受信ユニットの双方は、前記第１バッフル板または前記第２バッフル板に配置され、または、
前記放出ユニットおよび前記受信ユニットは、前記第１バッフル板および前記第２バッフル板にそれぞれに配置される。
【請求項２０】
請求項１８に記載のベッドにおいて、
前記ベッド本体は、前記ユーザーの足底に当接するベッド板と、前記ユーザーの先端頭部に当接する第３バッフル板とを備え、
前記放出ユニットおよび前記受信ユニットの双方は、前記ベッド板に設けられ、前記第３バッフル板は、前記レンジング信号を反射するように構成されている。
【発明の詳細な説明】
【技術分野】
【０００１】
（関連分野の相互参照）
本願は、米国特許法第１１９条により、２０１９年３月１２日に出願された中国特許出願番号第２０１９２０３０７５６１４、２０１８年９月２０日に出願された中国特許出願番号第２０１８１１１０３１２５１号、および２０１８年９月２０日に出願された中国特許出願番号第２０１８２１５４２３２１４号の優先権を主張し、その内容全体を参照により本明細書に援用する。
【０００２】
（技術分野）
本開示は、家具、特に、ベッドに関する。
【背景技術】
【０００３】
人の生活水準の向上に伴って、健康および安全に対する要求は益々高まっている。したがって、人に安静にする場所を主に提供するベッドは、消費者の機能ニーズに合わなくなる可能性がある。従来のベッドは、単一の機能を有する。ユーザーが安静にしている場合、他の人はそのユーザーが安全で健康な状態であるかどうかを知ることができない。介護士がユーザーの安静状態を知りたいならば、測定のために外部測定装置が必要であり、このことは、適時性の欠如となる。
【発明の概要】
【０００４】
本開示の種々の実施形態によると、ベッドが提供される。
【０００５】
ベッドは、ユーザーが安静にするための空間を有するベッド本体と、前記ベッド本体に接続され、圧力検出機構を有する監視装置と、前記圧力検出機構に電気的に連結された信号処理ユニットと、前記信号処理ユニットに電気的に接続された監視ユニットとを備える。前記圧力検出機構は、前記ベッド本体の圧力変動を検出し、圧力データを生成し、前記圧力データを前記信号処理ユニットへ送信するために使用される。前記信号処理ユニットは、前記圧力データを処理し、処理済信号データを生成するために使用される。前記監視ユニットは、前記処理済信号データを監視するために使用される。
【０００６】
本開示の１つまたは複数の実施形態の詳細は、添付の図および以下の説明により定義される。本開示の他の特徴、目的、および利点は、明細書および添付の請求項から明らかになる。
【図面の簡単な説明】
【０００７】
本開示または先行技術の実施形態に係る技術的ソリューションをより明らかに説明するために、実施形態または従来技術を説明する添付の図を以下で簡単に紹介する。当然、以下の説明における添付の図は、本開示のいくつかの実施形態のみであり、当業者は、創作的努力無しで添付の図から他の図を導出し得る。
【図１】図１は、一実施形態に係るベッドの斜視図である。
【図２】図２は、図１のベッドのブロック図である。
【図３】図３は、別の実施形態に係るベッドの斜視図である。
【図４】図４は、図３のベッドのブロック図である。
【図５】図５は、図３の圧力検出機構の底面図である。
【図６】図６は、別の実施形態に係るベッドの正面図である。
【図７】図７は、さらに別の実施形態に係るベッドの斜視図である。
【図８】図８は、図７のベッドの側面図である。
【図９】図９は、さらに別の実施形態に係るベッドの側面図である。
【発明を実施するための形態】
【０００８】
本開示の上記目的、特徴および利点をより明らかにするため、本願の具体的実施形態は、添付の図を参照して詳細に説明する。数々の具体的な詳細は、本願の完全な理解を提供するために、以下の説明において定義される。しかしながら、本願は、ここに説明されるもの以外の多くの他の方法で実施することができ、当業者は、本願の範囲から逸脱することなく類似の変更を行うことができ、それゆえ、本願は以下に開示される具体的な実施形態によって限定されない。
【０００９】
ある要素が別の要素に「配置されている」または「設けられている」とは、ある要素が他の要素に直接または要素を介在して存在していることと理解される。ある要素が別の要素に「接続されている」または「連結されている」とは、ある要素が他の要素に直接または電気的に接続されていてもよく、または、介在する要素が存在していてもよいことと理解される。本願では、「垂直」、「水平」、「左」、「右」などの用語は、単に説明を意図するものであり、実施形態のみとして限定されることを意図しない。
【００１０】
特に定義しない限り、本願において使用される全ての用語（技術的および科学的な用語を含む）は、この開示が属する技術の当業者の１人により一般に理解されるのと同じ意味を有する。本願の明細書において使用される用語は、具体的な実施形態を説明する目的のためのみであり、本願を限定しない。
【００１１】
従来のベッドは比較的簡単な機能を有し、比較的簡単な機能は、安静にするための空間をユーザーに提供のみでき、ユーザーの体重を検出することはできない。さらに、ユーザー（例えば、幼児、患者、または老人）がベッドで安静にしている場合にユーザーの口および鼻が異物により被われると、または、ユーザー自身の臓器の不完全な発達のため、または、ユーザーが若いか、病気であるか、または年老いている場合は、これらの条件は安全問題を簡単に引き起こし、それにより、ユーザーの安全および健康に影響する。介護士がユーザーの安静状態を知りたいならば、ユーザーを検出するために外部測定装置が必要とされ、このことは、即時性の欠如となる。
【００１２】
図１を参照すると、実施形態によれば、ベッド本体１１０と、ベッド本体１１０に接続された監視装置１２０と、ベッド本体１１０に接続されたベッドベース１３０とを備えるベッド１００が設けられている。
【００１３】
ベッド本体１１０は、ユーザーが安静にするための空間１１２を有する。ベッド本体１１０は、矩形、円筒形、または楕円円筒形でもよい。
【００１４】
いくつかの実施形態において、ベッド本体１１０は、支持フレーム１１４と支持アーム１４０とを備える。支持フレーム１１４は、支持アーム１４０を介してベッドベース１３０と接続されている。支持フレーム１１４は、空間１１２の外側に設けられている。支持アーム１４０は、支持フレーム１１４と回転可能に接続され、その結果、ベッド本体１１０の位置は調整され得る。支持アーム１４０は、ベッドベース１３０と接続されている。ベッド本体１１０は、保持フレーム１１６をさらに備えていてもよい。支持フレーム１１４および保持フレーム１１６は、空間１１２の外側において同じ接続部分１１８と接続されてもよい。保持フレーム１１６は、介護士がベッド１００を担持するのを簡単化する。ペンダントまたは音楽プレーヤーなどが保持フレーム１１６に設けられてもよい。支持フレーム１１４および保持フレーム１１６の双方は接続部分１１８と回転可能に接続されている。
【００１５】
監視装置１２０は、ベッド本体１１０と接続されている。監視装置１２０は１つまたは複数であってもよい。監視装置１２０は、ベッド１００の種々の場所に搭載され得る。以下の例は、監視装置１２０の搭載場所の例を示す。監視装置１２０の搭載場所はこれらに限定されないことが理解され得る。
【００１６】
説明される実施形態において、監視装置１２０は、支持フレーム１１４と支持アーム１４０との間の接続部に設けられている。監視装置１２０を、支持フレーム１１４と支持アーム１４０との間の接続部に取り付けることができるか、または、支持フレーム１１４と支持アーム１４０との間の仲介接続部材として作用させることができることが理解され得る。
【００１７】
別の実施形態において、監視装置１２０は、支持フレーム１１４に設けられている。例えば、監視装置１２０は、空間１１２の下方に位置する支持フレーム１１４の一部に設けられていてもよく、または、支持アーム１４０からは離れた支持フレーム１１４に設けられていてもよい。支持フレーム１１４上の監視装置１２０の具体的な位置はこれに限定されない。
【００１８】
さらに別の実施形態において、監視装置１２０は、ベッドベース１３０に設けられている。例えば、監視装置１２０は、支持アーム１４０に隣接するベッドベース１３０の位置に設けられていてもよく、または、支持アーム１４０からは離れたベッドベース１３０の位置に設けられていてもよい。ベッドベース１３０における監視装置１２０の具体的な位置はこれに限定されない。
【００１９】
さらに別の実施形態において、監視装置１２０は、支持アーム１４０に設けられている。例えば、監視装置１２０は、支持フレーム１１４に隣接する支持アーム１４０の位置に設けられていてもよく、または、ベッドベース１３０に隣接する支持アーム１４０の位置に設けられていてもよい。支持アーム１４０における監視装置１２０の具体的な位置はこれに限定されない。
【００２０】
図２を参照すると、監視装置１２０は、圧力検出機構１２２と、圧力検出機構１２２に電気的に連結された信号処理ユニット１２４と、信号処理ユニット１２４に電気的に連結された監視ユニット１２６とを備える。圧力検出機構１２２は、ベッド本体１１０の圧力変動を検出し、圧力変動データを生成し、圧力変動データを信号処理ユニット１２４へ送信するために使用される。信号処理ユニット１２４は、圧力変動データを処理し、処理済信号データを生成するために使用される。監視ユニット１２６は、処理済信号データを受信し、処理済信号データを監視するために使用される。
【００２１】
この実施形態において、圧力検出機構１２２は、ベッド本体１１０と接続されている。圧力検出機構１２２は、ベッド本体１１０の圧力変動データを検出し、圧力変動データを信号処理ユニット１２４へ送信するために使用される。圧力検出機構１２２は、負荷状態と無負荷状態とにおけるベッド本体１１０の圧力差を検出し、この圧力差を信号処理ユニット１２４へ送信することができる。信号処理ユニット１２４は、圧力差を処理してユーザーの体重データを生成するために使用される。圧力検出機構１２２は、ユーザーが安静にしている間のベッド本体１１０の圧力変動データを検出し、検出した圧力変動データを信号処理ユニット１２４へ送信することもできる。信号処理ユニット１２４は、圧力変動データを処理してユーザーの安静状態（例えば、安静中のユーザーの呼吸状態、心拍状態、および健康状態）を感知するために使用される。
【００２２】
圧力検出機構１２２は少なくとも１つの圧力センサを備える。圧力検出機構１２２が複数の圧力センサを備える場合、複数の圧力センサは、実際の要求に応じて直列または並列に接続されるように設定されてもよい。いくつかの実施形態において、圧力検出機構１２２は、ただ１つの圧力センサを備える。ただ１つの圧力センサは、ユーザーの休息行動により引き起こされる圧力変動をより集中した応力点によってより正確に検出することができ、複数の圧力センサにより印加される不均一且つ不安定な力により引き起こされるエラーを回避することができる。
【００２３】
いくつかの実施形態において、圧力センサは、高い感度を有する圧電式圧力センサまたはひずみ式圧力センサであってもよい。ひずみ式圧力センサにより、安静中にユーザーによって生成される圧力の変化は、抵抗の変化に変換され得る。圧電式圧力センサにより、安静中にユーザーによって生成される圧力の変化は、電圧の変化に変換され得る。具体的に、圧力センサは、電気機械変換を実現するためにオムロン社、シュナイダー社などにより製造される高精度の圧力センサであってもよい。
【００２４】
安静中にユーザーにより生成される圧力信号を何等かの種類の電気信号に変換することができる限り、セラミック圧力センサ、拡散シリコン圧力センサ、およびサファイア圧力センサなどの他の動作原理を有する圧力センサも採用され得ると理解されるものとする。
【００２５】
信号処理ユニット１２４は、圧力検出機構１２２により検出された圧力変動データを受信し、圧力変動データを処理し、処理済信号データを生成し、処理済信号データを監視ユニット１２６へ送信するために使用される。信号処理ユニット１２４は、データ処理可能なチップまたはシングルチップマイクロコントローラーであってもよい。信号処理ユニット１２４と本願における他の機構、装置、センサ、またはユニットとの間に確立される信号接続は、電気的接続および／または無線接続でもよい。例えば、データは、圧力検出機構１２２と信号処理ユニット１２４との間で配線（電気的接続）を介して、または、無線送信（無線接続）で送信され得る。無線接続は、Ｗｉ−Ｆｉ、Ｂｌｕｅｔｏｏｔｈ（登録商標）、ＺｉｇＢｅｅ、Ｚｗａｖｅ、ＷＬＡＮ、ＧＳＭ（登録商標）、２Ｇ、３Ｇ、４Ｇ、および５Ｇなどの無線通信技術によって確立された接続であってもよい。このように、信号処理ユニットは、ワイヤレスＬＡＮシステムを他の機構、装置、およびユニットとともに形成し、データまたは信号をワイヤレス送信することができる。
【００２６】
監視ユニット１２６は、信号処理ユニット１２４により生成された処理済信号データを受信し、処理済信号データを監視するために使用される。信号処理ユニット１２４および監視ユニット１２６は、有線通信ユニットまたは無線通信ユニットを介して互いに電気的に連結されてデータ相互作用を行ことができる。有線通信ユニットは金属配線である。無線通信ユニットは、Ｗｉ−Ｆｉモジュール、Ｂｌｕｅｔｏｏｔｈ（登録商標）モジュール、ＺｉｇＢｅｅモジュール、Ｚｗａｖｅモジュール、ＷＬＡＮモジュール、ＧＳＭ（登録商標）モジュール、２Ｇモジュール、３Ｇモジュール、４Ｇモジュール、および５Ｇモジュールの少なくとも１つを含む。
【００２７】
監視ユニット１２６は、ベッド本体１１０に直接搭載されてもよく、または、壁、テーブル、他の家庭用品などの他の物体に取り付けられてもよく、または、携帯端末またはサーバーなどにインストールされてもよい。
【００２８】
安静中のユーザーの呼吸、心拍、および体の動きは、圧力の変化を引き起こす可能性がある。いくつかの実施形態において、圧力検出機構１２２は、ユーザーの休息中にベッド本体１１０により生成される圧力変動データを検出し、圧力変動データを信号処理ユニット１２４へ送信するために使用される。信号処理ユニット１２４は、圧力変動データを処理して安静中のユーザーの呼吸状態、心拍状態、および体の状態を感知するために使用され、それにより、ユーザーの安静状態を認識する。体の動きは、ユーザーの指、頭、脚および足などの動きでもよい。前記動きにより引き起こされるベッド本体１１０の圧力がプリセットされた圧力値を超えると、例えば、呼吸が異常に短いまたは停止されるか、または、心拍が以上に短いまたは停止されるか、または、ユーザーの体が大きく揺さぶられまたは反転すると、監視ユニット１２６は、ハザード信号を検出し、介護士の注意を引く発報を行うことができる。介護士は、危険を伴う状況を防止するために適時の救急措置を行うことができる。このように、介護士は、ユーザーの安静状態を時間内に監視し、リアルタイムで安全を向上することができる。
【００２９】
具体的に、ユーザーは、ベッド本体１１０により区画される空間１１２に横たわり、安静中にユーザーにより生成される圧力変動が圧力検出機構１２２へ送信される。圧力検出機構１２２は、圧力変動データを検出し、圧力変動データを抵抗、電圧、またはインダクタンスなどの電気信号に変換するために使用される。圧力検出機構１２２により検出される圧力変動データは、有線または無線送信によって信号処理ユニット１２４へ送信される。信号処理ユニット１２４は、圧力変動データを処理して処理済信号データを生成し、処理済信号データを有線通信ユニットまたは無線通信ユニットを介して監視ユニット１２６へ送信するために使用される。
【００３０】
ユーザーの安静中に、圧力検出機構１２２によって検出されるベッド本体の圧力データが実質的に均一に変動するならば、それは、ユーザーの安静状態が安定しユーザーは安全状態にあることを示している。信号処理ユニット１２４は、圧力検出機構１２２により検出された圧力変動データを処理し、安全信号を有線通信ユニットまたは無線通信ユニットを介して監視ユニット１２６へ送信するために使用される。この時点で、監視ユニット１２６は、安全信号を監視し、処理済信号データを収集するために使用される。ユーザーの安静中に、圧力検出機構１２２によって検出されるベッド本体１１０の圧力データが変更しないか、または、異常に変動するならば、それは、ユーザーの安静状態が無呼吸、心肺停止、異常な身体の動きなど不安定であり、ユーザーが危険を伴う状態にあることを示す。信号処理ユニット１２４は、圧力検出機構１２２により検出された圧力変動データを処理し、ハザード信号を有線通信ユニットまたは無線通信ユニットを介して監視ユニット１２６へ送信するために使用される。この時点で、監視ユニット１２６は、ハザード信号を監視し、処理済信号データを収集し、介護士の注目を引くために警報を出力するために使用される。このように、介護士は、有害な結果を防止するために適時の措置を取ることができる。
【００３１】
信号処理ユニット１２４および監視ユニット１２６は、事前にデータ範囲をそれぞれプリセットすることができ、データがプリセットされたデータ範囲内であれば、監視ユニットは単にデータを収集し、データが異常であれば、監視ユニットはデータを収集して発報を送信すると理解され得る。安静中にユーザーによって生成される呼吸、心拍、および健康状態の変化は、監視ユニット１２６によって収集され、照合される。ユーザーの安静中に、ユーザーは睡眠状態、目覚めている状態、座っている状態、または横たわっている状態であってもよい。
【００３２】
いくつかの実施形態において、監視ユニット１２６は、安全信号およびハザード信号をコントローラーを用いて受信して発報するかどうかを判断することができる。監視ユニット１２６は、ベッド１００または他の物体に取付けることができる。いくつかの実施形態において、監視ユニット１２６は、ディスプレイを通してデータを表示することにより、スピーカーを通して警告音を発することにより、または、警告灯を点滅させることにより発報して介護士の注意を引くことができる。これにより、介護士は、適時に問題を見出し、行動をとることができる。当然、例えば、大きい振幅の振動を生成する、または、無害の煙を発生させるなどの他の発報モードも採用され得る。監視ユニット１２６は、データ処理などを実施することができるシングルチップマイクロコンピュータ、プロセッサ、またはチップをさらに備えてデータを収集および処理し、安静中のユーザーの呼吸状態、心拍状態、および健康状態を記録し、参考のために介護士に提供され得る安静記録を形成することができる。
【００３３】
さらに、監視ユニット１２６は、データ処理のためのクラウドサーバーまたはプロセッサであってもよく、プロセッサは、ベッド１００、または、携帯電話もしくはタブレットなどの携帯端末にインストールされてもよい。監視ユニット１２６は、信号処理ユニット１２４により送信されたデータを処理して記録を作成しまたはデータを安静パラメータに変換するために使用されてもよく、リマインダまたは提案を安静パラメータに従って行うことができる。
【００３４】
監視装置１２０は、ベッドベース１３０に直接的または間接的に接続されていてもよい。
【００３５】
ベッドベース１３０は、搭載部分１３２と、搭載部分１３２と接続された複数の脚１３４とを備える。支持アーム１４０は、搭載部分１３２と回転可能に接続されている。具体的に、複数の脚１３４は、地面に直接置かれてもよく、全て搭載部分１３２に接続されている。あるいは、複数の脚１３４は、地面に置かれてもよく、含まれる角度は、複数の脚１３４と地面との間で定義されてもよい。全ての脚１３４は、搭載部分１３２と接続されている。支持アーム１４０は、搭載部分１３２と回転可能に接続され、支持アーム１４０とベッドベース１３０との間の角度を調節することができ、その結果、ベッドベース１３０とベッド本体１１０との間における、高さ関係およびレベル関係などの位置関係は、支持アーム１４０によって調節され得る。支持アーム１４０とベッドベース１３０との間の角度関係は、介護士の身長および座位に応じて調整することができる。例えば、介護士の身長が比較的高いならば、支持アーム１４０とベッドベース１３０との間の角度を増大（０度から９０度）することができ、身長が比較的低いならば、支持アーム１４０とベッドベース１３０との間の角度を低減することができる。この時点で、支持アーム１４０および支持フレーム１１４も、回転可能に接続され、支持アーム１４０とベッドベース１３０との間の角度が変更される場合、支持アーム１４０と支持フレーム１１４との間の角度も変更される。
【００３６】
さらに、自動ロック機能を有する回転ホイールは、脚１３４の下方に搭載され得る。回転ホイールによりベッド１００を動かすことが簡単になり、同時に、ベッド１００は、安全を向上するために適切な位置においてロックされ得る。
【００３７】
他の実施形態において、ベッド１００は、スピーカーなどの音声放送ユニット１５０をさらに備える。音声放送ユニット１５０は、信号処理ユニット１２４と電気的に連結され、信号処理ユニット１２４から送信され、かつ、圧力検出機構１２２により検出された無負荷状態および負荷状態におけるベッド本体１１０の圧力差に従って検出された体重データについて音声放送を行うために使用される。
【００３８】
他の実施形態において、ベッド１００は、無線通信装置１６０をさらに備える。無線通信装置１６０は、Ｗｉ−Ｆｉ装置、Ｂｌｕｅｔｏｏｔｈ（登録商標）装置、ＺｉｇＢｅｅ装置、Ｚｗａｖｅ装置、ＷＬＡＮ装置、ＧＳＭ（登録商標）装置、２Ｇ装置、３Ｇ装置、４Ｇ装置、および５Ｇ装置の少なくとも１つを備える。無線通信装置１６０は、信号処理ユニットとモバイル装置またはサーバーとの間で無線ネットワークを介してデータ相互作用を行う。無線通信装置１６０は、信号処理ユニット１２４と電気的に連結され、圧力検出機構１２２によって無負荷状態および負荷状態におけるベッド本体１１０の圧力差を処理する信号処理ユニット１２４により取得された体重データ体重データと、データ圧力検出機構１２２によって検出されたユーザーの安静中の圧力変動データを処理する信号処理ユニット１２４によって取得された安静中のユーザーの呼吸状態、心拍状態、および健康状態データとを無線ネットワークを介して外部モバイル装置（携帯電話などのモバイル装置）またはサーバーへ送信するために使用される。モバイル装置またはサーバーは、体重データおよびユーザーの安静中の呼吸状態、心拍状態、および健康状態データを記憶し、または、体重データおよびユーザーの安静中の呼吸状態、心拍状態、および健康状態データを特定の方法（グラフなど）で表示することができる。
【００３９】
いくつかの実施形態において、ベッド１００は、監視装置１２０に給電するための電源装置１７０をさらに備えていてもよい。電源装置１７０は、使い捨て電池または充電式電池でもよい。電源装置１７０は、外部交流電流が直流に変換された後に給電されることを必要とする構成要素へ給電することもできると理解され得る。
【００４０】
いくつかの実施形態において、ベッド１００は、表示装置１８０をさらに備えている。表示装置１８０は、ベッド本体１１０に取り外し可能に設けられており、その結果、ベッド本体１１０の任意の場所、またはユーザーの家の任意の場所に設けられていてもよい。介護士は、必要に応じて任意の見やすい場所に表示装置１８０を置くことができる。表示装置１８０は、信号処理ユニット１２４に電気的に連結され、信号処理ユニット１２４から送信されたデータを受信し、表示するために使用される。表示装置１８０は、有線または無線接続などを介して信号処理ユニット１２４に電気的に連結され得る。この実施形態において、表示装置１８０および信号処理ユニット１２４は無線で連結されている。表示装置１８０は、表示画面１８２を備える。表示画面１８２は、液晶ディスプレイであってもよい。表示装置１８０は、ユーザーの体重を表示することができ、圧力検出機構１２２により監視されるデータ、および、常に変更グラフを時間内にユーザーの安静状態を知るためにさらに表示することができる。加えて、表示装置１８０は、タッチタイプまたはボタンタイプであってもよく、プリセット値は事前に入力されてもよく、異なる期間のデータが問い合わせされ得る。
【００４１】
いくつかの実施形態において、表示画面１８２は、両側に操作ボタン１８４が設けられている。操作ボタン１８４は、ロックボタン、音声放送ボタン、無線送信ボタン、電源ボタン、および、クリアボタンの少なくとも１つのであってもよい。ロックボタンは、信号処理ユニット１２４が圧力検出機構１２２により検出される無負荷状態および負荷状態におけるベッド本体１１０の圧力差を処理する場合、体重の表示値がユーザーの震えにより頻繁に変化するのを防止するために使用される。ユーザーがロックボタンを押す場合、体重の表示値は変更されなくなる。音声放送ボタンは、ユーザーの体重の測定を音声で放送するかどうかについてユーザーのために選択肢を提供するために使用される。音声放送ボタンが押される場合、音声放送ユニットは、測定結果を放送し、それ以外の場合は、放送は行われない。無線送信ボタンは、測定結果（例えば、体重データ、および安静中のユーザーの呼吸状態、心拍状態、および健康状態）を無線ネットワークを介してモバイル装置またはサーバーへ送信するかどうかについてユーザーのために選択肢を提供するために使用される。無線送信ボタンが押される場合、無線送信装置は、測定結果をモバイル装置またはサーバーへ送信し、それ以外の場合は測定結果の送信は行われない。電源ボタンは、給電を必要とするベッド本体１１０の構成要素（監視装置１２０、表示装置、無線通信装置、音声放送装置など）に給電するために使用される。電源ボタンが押される場合、給電を必要とするベッド本体１１０の構成要素は給電され、それ以外の場合は電力は供給されない。実施形態の１つにおいて、クッション状部品をユーザーの心地よさのためにベッド本体１１０に設けてもよい。このとき、信号処理ユニット１２４が、圧力検出機構１２２により検出された負荷状態および無負荷状態におけるベッド本体の圧力差を処理して体重を取得した場合、クッション状部品の存在により検出した体重が不正確な可能性がある。クリアボタンは、検出される重さに対するクッション状部品の影響を排除するために使用される。クリアボタンが押される場合、検出される体重は、クッション状部品の重さを含まなくなる。
【００４２】
前記実施形態において、ベッド１００には監視装置１２０が備えられている。圧力検出機構１２２は、安静中のユーザーにより生成されるベッド本体１１０の圧力信号を電気信号に変換し、それにより、ユーザーの安静状態を感知する。圧力検出機構１２２により検出されたデータは、有線または無線の方法によって信号処理ユニット１２４へ送信される。信号処理ユニット１２４により処理される処理済データは、有線または無線の方法によって監視装置１２６へ送信されてデータ相互作用を行う。処理済データが通常のプリセット範囲に在るならば、データが収集される。処理済データが異常ならば、発報が行われて介護士の注意を引き、救急措置を、危険を伴う状況を防止するために時間内に取ることができる。したがって、ユーザーの安静状態を適時にリアルタイムで監視することができ、ユーザーの安全を向上することができる。
【００４３】
図３を参照すると、別の実施形態において、ベッド本体２１０と、監視装置２２０と、表示装置２５０とを備えるベッド２００が設けられている。ベッド２００は、ベビーベッドを含むがこれに限定されないものと理解される。
【００４４】
ベッド本体２１０は、ユーザーが安静にするための空間を有する。ベッド本体２１０は、実質的に矩形、円筒形、または楕円円柱形を有していてもよい。この実施形態において、ベッド本体２１０は、実質的に矩形を有し、ベッド板２１１、第１バッフル板２１２、第１側板２１６、第２側板２１７、および第３側板２１８を備える。第１バッフル板２１２、第１側板２１６、第２側板２１７、および第３側板２１８は、連続して接続され、ベッド板２１１に対して垂直に配置されている。この実施形態において、第１バッフル板２１２は、第２側板２１７に対して平行である。第１バッフル板２１２は、ユーザーの第１部分に当接するために使用される。第１側板２１６および第３側板２１８は、互いに並行であり、それぞれ第１および第２側板２１２および２１７と垂直に接続されている。ベッド板２１１、第１バッフル板２１２、第１側板２１６、第２側板２１７、および第３側板２１８は、ユーザーが休むための区間を規定するために閉鎖されている。第１バッフル板２１２、第１側板２１６、第２版板２１７、および第３側板２１８は、ユーザー（例えば、幼児）を保護するため、ユーザーが転倒または落下するのを防止する。この実施形態において、ベッド本体２１０は、第１側板２１６および第３側板２１８とのそれぞれに接続された第２バッフル板２１３をさらに備える。第２バッフル板２１３は、第１バッフル板２１２と第２側板２１７との間に位置している。第２バッフル板２１３と第１バッフル板２１２との間の距離を調節することができる。一実施形態において、第２バッフル板２１３または第１バッフル板２１２は、第２バッフル板２１３と第１バッフル板２１２との間の距離を調節するために、ベッド板２１１にスライド可能に設けられてもよい。第２バッフル板２１３は、ユーザーの第２部分に当接して使用されてもよい。この実施形態において、第１部分および第２部分の一方はユーザーの先端頭部であり、他方はユーザーの足底である。第２バッフル板２１３は第１側板２１６および第３側板２１８に接続されることなく、ユーザーにより提供される形態電話、プラスチック版などの反射信号であってもよい物体であってもよいと理解され得る。
【００４５】
一実施形態において、ベッド本体２１０は、ベッド本体２１０を動かすための複数のプーリー２１９をさらに備えてもよい。ブレーキ装置（図示せず）は、プーリー２１９に設けられていてもよい。介護士は、プーリーが動くのを止めるため、ブレーキ装置を押すことによりベッド本体２１０を停止することができる。
【００４６】
図４を参照すると、監視装置２２０は、ベッド本体２１０に設けられ、圧力検出機構２２１、第１信号放出ユニット２２２、第１信号受信ユニット２２３、信号処理ユニット２２４、および監視ユニット２２６を備える。
【００４７】
いくつかの実施形態において、圧力検出機構２２１は、支持脚２２１１と支持脚２２１１に設けられた圧力センサとを備える。支持脚２２１１は、ベッド本体２１０を支持するためのベッド本体２１０の下方に設けられている。圧力センサは、ベッド本体２１０の圧力データを検出するために使用される。具体的に、圧力センサは、負荷状態および無負荷状態におけるベッド本体２１０の圧力差と、ユーザーによる安静中のベッド本体２１０の圧力変動データとを検出するために使用される。
【００４８】
図３、図４、および図５を参照すると、この実施形態において、圧力検出機構２２１は４脚圧力検出機構である。４脚圧力検出機構は、ベッド本体２１０の下方に位置し、ベッド本体２１０を支持するための４つの支持脚２２１１を備える。各支持脚２２１１には圧力センサが備えられている。具体的に、４脚圧力検出機構２２１は、信号処理ユニット２２４と電気的に接続された第１センサ２２１２と、第２センサ２２１３と、第３センサ２２１４と、第４センサ２２１５とを備える。第１センサ２２１２、第２センサ２２１３、第３センサ２２１４、および第４センサ２２１５は、負荷状態および無負荷状態におけるベッド本体２１０の圧力差と、ユーザーが安静にしている間のベッド本体２１０の圧力変動データとを共働して検出する。
【００４９】
一実施形態において、圧力検出機構２２１は３脚圧力検出機構である。同様に、３脚圧力検出機構は、ベッド本体２１０の下方に位置し、ベッド本体２１０を支持するための３つの支持脚を備え、各支持脚には、信号処理ユニット２２４と電気的に連結された圧力センサが備えられている。
【００５０】
図６を参照すると、別の実施形態において、圧力検出機構２２１は、片脚圧力検出機構であり、支持脚２２１１を備える。ブラケット２２１９は、支持脚２２１１の下方に設けられて支持脚２２１１がベッド本体２１０を安定して支持できるようにする。支持脚２２１１には、信号処理ユニット２２４と電気的に連結された圧力センサ２２１６が設けられている。この実施形態において、圧力センサ２２１６は、片脚圧力検出機構の支持脚２２１１とベッド本体２２１との間における接続部に位置している。圧力センサ２２１６は、負荷状態および無負荷状態におけるベッド本体２１０の圧力差、および、ユーザーの安静中のその圧力変動データを検出するために使用される。
【００５１】
圧力検出機構２２１は他の構造でもよいがそれに限定されないと理解される。
【００５２】
図３、図４、および図５を参照すると、第１信号放出ユニット２２２は、レンジング信号を発するために使用される。第１信号放出ユニット２２２はそれぞれ、レーザーエミッタ、ＬＥＤエミッタ、赤外線エミッタ、超音波エミッタ、電磁波エミッタ、およびミリ波エミッタの１つまたは複数であり得る。第１信号受信ユニット２２３は、レンジング信号を受信するために使用される。この実施形態において、第１信号放出ユニット２２２および第１信号受信ユニット２２３は、双方とも、第１バッフル板２１２に設けられている。第１信号放出ユニット２２２および第１信号受信ユニット２２３は、第２バッフル板２１３に設けられていてもよいと理解される。第１信号放出ユニット２２２により発せられるレンジング信号は、第２バッフル板２１３により第１信号受信ユニット２２３へ反射されて第１バッフル板２１２と第２バッフル板２１３との間の距離を検出してユーザーの身長を検出する。
【００５３】
信号処理ユニット２２４は、第１信号放出ユニット２２２と、第１信号受信ユニット２２３と、圧力検出機構２２１とからデータを受信し処理するために、圧力検出機構２２１と、第１信号放出ユニット２２２と、第１信号受信ユニット２２３とに電気的に連結されている。具体的に、信号処理ユニット２２４は、圧力センサ（この実施形態の第１センサ２２１２、第２センサ２２１３、第３センサ２２１４、および第４センサ２２１５）により検出される負荷状態および無負荷状態におけるベッド本体の圧力差を処理してユーザーの体重を取得し、圧力センサにより検知されるユーザーの安静中の圧力変動データを処理してユーザーの安静状態（例えば、ユーザーの安静中のユーザーの呼吸状態、心拍状態、および健康状態）を感知し、第１信号放出ユニット２２２および第１信号受信ユニット２２３からのデータを処理してユーザーの身長を取得するために使用される。信号処理ユニット２２４は、データ処理等を実施し得るチップ、およびシングルチップマイクロコンピュータなどを含む。
【００５４】
監視ユニット２２６は、信号処理ユニット２２４によって生成される処理済信号データを受信し、監視するために使用される。信号処理ユニット２２４および監視ユニット２２６は、データ相互作用のために有線または無線の通信ユニットを介して連結され得る。有線通信ユニットは金属配線でもよい。無線通信ユニットは、Ｗｉ−Ｆｉモジュール、Ｂｌｕｅｔｏｏｔｈ（登録商標）モジュール、ＺｉｇＢｅｅモジュール、Ｚｗａｖｅモジュール、ＷＬＡＮモジュール、ＧＳＭ（登録商標）モジュール、２Ｇモジュール、３Ｇモジュール、４Ｇモジュール、および５Ｇモジュールの少なくとも１つを備える。ユーザーの安静中に、圧力検出機構２２１により検出されるベッド本体２１０の圧力データが実質的に均一に変動しているならば、それは、ユーザーの安静状態は安定し、ユーザーは安全な状態にあることを示す。信号処理ユニット２２４は、圧力検出機構２２１により検出された圧力変動データを処理し、安全信号を有線通信ユニットまたは無線通信ユニットを介して監視ユニット２２６へ送信するために使用される。この場合、監視ユニット２２６は、安全信号を監視し、処理済信号データを収集するために使用される。ユーザーの安静中に、圧力検出機構２２１により検出されるベッド本体２１０の圧力データが変化しないか、または、異常に変動するならば、それは、ユーザーの安静状態が安定しておらず、無呼吸、心拍停止、および異常な身体活動などの危険を伴う状態が起こり、ユーザーは危険になっているかもしれないことを示す。信号処理ユニット２２４は、圧力検出機構２２１により検出された圧力変動データを処理し、有線または無線の通信ユニットを介して監視ユニット２２６へハザード信号を送信するために使用される。このとき、監視ユニット２２６は、ハザード信号を検出し、処理済信号データを収集し、警報を送信して介護士の注意を引くために使用される。このようにして、介護士は、適時の措置を取って有害な結果を防止することができる。
【００５５】
表示装置２５０は、ベッド本体２１０に取り外し可能に設けられている。介護士は、所望により見やすい場所（ベッド本体２１０の任意の場所またはケア設定の任意の場所を含むがこれに限らない）に表示装置２５０を置くことができる。この実施形態において、表示装置２５０は、ベッド本体２１０の第２側板２１７に設けられている。表示装置２５０は、監視装置２２０と電気的に連結されている。具体的に、表示装置２５０は、信号処理ユニット２２４に電気的に連結されている。さらに、表示装置２５０は、信号処理ユニット２２４に無線で電気的に連結されている。信号処理ユニット２２４は、第１信号放出ユニット２２２、第１信号受信ユニット２２３、および圧力検出機構２２１からのデータを処理し、処理済信号データを表示のための表示装置２５０へ送信する。一実施形態において、表示装置２５０は、液晶表示画面でもよい表示画面２５２を備える。
【００５６】
この実施形態において、ベッド２００は、スピーカーなどの音声放送ユニット２６０をさらに備える。音声放送ユニット２６０は、圧力センサにより検出される負荷状態および無負荷状態におけるベッド本体２１０の圧力差に応じて信号処理ユニット２２４により検出される体重データについて音声放送を行うための信号処理ユニット２２４と電気的に連結されている。
【００５７】
この実施形態において、ベッド２００は、無線通信装置２７０も備える。無線通信装置２７０は、Ｗｉ−Ｆｉ装置、Ｂｌｕｅｔｏｏｔｈ（登録商標）装置、ＺｉｇＢｅｅ装置、Ｚｗａｖｅ装置、ＷＬＡＮ装置、ＧＳＭ（登録商標）装置、２Ｇ装置、３Ｇ装置、４Ｇ装置、および５Ｇ装置の１つまたは複数を備える。無線通信装置２７０は、信号処理ユニット２２４とモバイル装置またはサーバーとの間のデータ相互作用を無線ネットワークを介して行うために使用される。無線通信装置２７０は、圧力センサにより検出された負荷状態および無負荷状態におけるベッド本体２１０の圧力差に従って信号処理ユニット２２４により取得された体重データと、ユーザーの安静中に圧力センサによって検出された圧力変動データに従って信号処理ユニット２２４により取得されたその安静中のユーザーの呼吸状態、心拍状態、および健康状態データとを、無線ネットワーク信号を介してモバイル装置またはサーバー（携帯電話などのモバイル装置）へ送信するための信号処理ユニット２２４と電気的に連結されている。モバイル装置またはサーバーは、体重データおよび安静中のユーザーの呼吸状態、心拍状態、および健康状態データを記憶することができ、体重データ、および安静中のユーザーの呼吸状態、心拍状態、および健康状態を特定の方法（グラフなど）で表示することができる。
【００５８】
この実施形態において、ベッド２００は、給電を必要とするベッド２００の構成要素（例えば監視装置２２０など）に給電するための電源装置２８０をさらに備えていてもよい。電源装置２８０は、使い捨て電池または蓄電池でもよい。電源装置２８０は、外部交流電流が直流に変換された後に給電を必要とする構成要素に給電することもできると理解される。
【００５９】
この実施形態において、表示画面２５２は、その両側に操作ボタン２５４が備えられていてもよい。操作ボタン２５４は、ロックボタン、音声放送ボタン、無線送信ボタン、電源ボタン、および、クリアボタンの少なくとも１つを備える。ロックボタンは、信号処理ユニット２２４が圧力検出機構２２１により検出される無負荷状態および負荷状態におけるベッド本体２１０の圧力差を処理する場合、体重の表示値がユーザーの震えにより頻繁に変化するのを防止するために使用される。ユーザーがロックボタンを押す場合、体重の表示値は変更されなくなる音声放送ボタンは、ユーザーの体重の測定を音声で放送するかどうかについてユーザーのために選択肢を提供するために使用される。音声放送ボタンが押される場合、音声放送ユニットは、測定体重を放送し、それ以外の場合は、放送は行われない。無線送信ボタンは、測定結果（例えば、体重データ、および安静中のユーザーの呼吸状態、心拍状態、および健康状態、ならびにユーザーの身長）について無線ネットワークを介してモバイル装置またはサーバーへ送信するかどうかについてユーザーのために選択肢を提供するために使用される。無線送信ボタンが押される場合、無線送信装置は、測定結果をモバイル装置またはサーバーへ送信し、それ以外の場合は測定結果の送信は行われない。電源ボタンは、給電を必要とするベッド本体２１０の構成要素（監視装置２２０、表示装置２５０、無線通信装置、音声放送装置など）に給電するために使用される。電源ボタンが押される場合、給電を必要とするベッド本体２１０の構成要素は給電され、それ以外の場合は電力は供給されない。実施形態の１つにおいて、クッション状部品をユーザーの心地よさのためにベッド本体２１０に設けてもよい。このとき、信号処理ユニット２２４が、圧力検出機構２２１により検出された負荷状態および無負荷状態におけるベッド本体の圧力差を処理して体重データを取得した場合、クッション状部品の存在により検出した体重が不正確な可能性がある。クリアボタンは、検出される重さに対するクッション状部品の影響を排除するために使用される。クリアボタンが押される場合、検出される体重は、クッション状部品の重さを含まなくなる。
【００６０】
この実施形態において、上記ベッド２００によれば、介護士は、ユーザーの体重および身長を手動で検出することを要求されず、ユーザーの体重および身長の生理的データの正確性は保証され、ユーザーは、測定を行うためにユーザーを特別な測定装置へ動かすことなく、ベッド２００内で遊んでいる間に、介護士は、ユーザーの体重および身長を検出することができる。
【００６１】
図７および図８を参照すると、別の実施形態において、第１信号放出ユニット２２２および第１信号受信ユニット２２３の一方は、第１バッフル板２１２に設けられ、他方は第２バッフル板２１３に設けられている。このとき、第１信号放出ユニット２２２により発せられるレンジング信号は、ユーザーの身長を検出するために反射無く第１信号受信ユニット２２３により直接受信される。
【００６２】
この実施形態の圧力検出機構は、圧力検出機構２２１がベッド板２１１の背面に設けられた第５センサ２２１７と第６センサ２２１８とをさらに備えること以外は、図５に示す圧力機構と類似している。第５センサ２２１７および第６センサ２２１８は、圧力センサまたは重力センサでもよい。第１センサ２２１２、第２センサ２２１３、第３センサ２２１４、および第４センサ２２１５と同様に、第５センサ２２１７および第６センサ２２１８は、同様に、負荷状態および無負荷状態におけるベッド本体２１０の圧力差と、ユーザーの安静中のベッド本体２１０の圧力変動データとを検出するために使用される。第５センサ２２１７および第６センサ２２１８の双方は、信号処理ユニット２２４と電気的に連結されて、検出した圧力データを信号処理ユニット２２４へ送信する。信号処理ユニット２２４は、負荷状態および無負荷状態におけるベッド本体２１０の圧力差を処理してユーザーの体重データを取得し、第１センサ２２１２、第２センサ２２１３、第３センサ２２１４、第４センサ２２１５、第５センサ２２１７および第６センサ２２１８により検出されるユーザーの安静中のベッド本体２１０の圧力変動データを処理してユーザーの安静状態を感知するために使用される。信号処理ユニットは、体重データおよび圧力センサにより検出される圧力データに従って取得される安静中のユーザーの呼吸状態、心拍状態、および健康状態データを表示のための表示装置２５０へ送信するために使用される。
【００６３】
他の実施形態において第１センサ２２１２、第２センサ２２１３、第３センサ２２１４、および第４センサ２２１５は省略されてもよく、つまり、圧力検出機構２２１に含まれているだけのセンサは、ベッド板２１１の背面に位置する第５センサ２２１７および第６センサ２２１８であると理解される。
【００６４】
図９を参照すると、さらに別の実施形態において、監視装置２２０は、第２信号放出ユニット２２５および第２信号受信ユニット２２７をさらに含む。第２信号放出ユニット２２５および第２信号受信ユニット２２７は、双方とも、ベッド板２１１に設けられている。第２信号放出ユニット２２５は、レンジング信号を発するために使用される。第２信号受信ユニット２２７は、レンジング信号を受信するために使用される。この実施形態において、ベッド本体２１０は、第３バッフル板２４０をさらに含む。この実施形態において、ベッド板２１１は、ユーザーの足底に当接するように使用される。第３バッフル板２４０は、ユーザーの先端頭部に当接するように使用される。第２信号放出ユニット２２５により発せられるレンジング信号は、第３バッフル板２４０によって第２信号受信ユニット２２７へ反射されて、ユーザーの身長を検出する。第３バッフル板２４０は、ベッド板２１１に対して相対的に移動可能である。第３バッフル板２４０は、プラスチック板、または携帯電話などのレンジング信号を反射することができる、ユーザーにより提供される任意の対象物でもよい。信号処理ユニット２２４は、それぞれ第２信号放出ユニット２２５および第２信号受信ユニット２２７と電気的に連結されている。信号処理ユニット２２４は、第２信号放出ユニット２２５および第２信号受信ユニット２２７からのデータを処理し、処理済データを表示のための表示装置２５０へ送信するために使用される。この実施形態において、ユーザーがベッド２００に立つ場合、第３バッフル板２４０は、ユーザーの先端頭部に置かれ、ユーザーの足底はベッド板２１１に接触している。第３バッフル板２４０は、ユーザーの身長を検出するために、第２信号放出ユニット２２４により発せされたレンジング信号を第２信号受信ユニット２２５へ反射してベッド板２１１と第３バッフル板２４０との間の距離を検出することができる。ユーザーの身長は、手動計測せずに、信号処理ユニット２２４により第２信号放出ユニット２２５および第２信号受信ユニット２２７からのデータを処理することにより正確に検出することができ、これにより、高さの精度を確実にすることができる。
【００６５】
他の実施形態において、第１信号放出ユニット２２２および第１信号受信ユニット２２３または第２信号放出ユニット２２５および第２信号受信ユニット２２７は省略されてもよく、すなわち、監視装置２２０は信号放出ユニットおよび信号受信ユニットを１セットしか含まないことが理解され得る。
【００６６】
上記実施形態の技術的特徴は、任意に組み合わせられてもよい。説明の簡単化のため、上記実施形態における技術的特徴の全ての可能な組み合わせは記載されていない。しかしながら、これらの技術的特徴の組み合わせにおける不一致が無い限り、この明細書において記載の範囲として考えられるべきである。
【００６７】
上記実施は、本開示の単なる具体的な実施形態であり、本開示の保護範囲を制限するものではない。なお、本開示において開示される技術範囲内の当業者により簡単に見出される任意の変形例または置換は、本開示の保護範囲に全て含まれるものとする。したがって、本開示の保護範囲は、添付の請求項の保護範囲の対象となるものとする。
【図１】
2020044334.tif 000003
【図２】
2020044334.tif 000004
【図３】
2020044334.tif 000005
【図４】
2020044334.tif 000006
【図５】
2020044334.tif 000007
【図６】
2020044334.tif 000008
【図７】
2020044334.tif 000009
【図８】
2020044334.tif 000010
【図９】
2020044334.tif 000011
【外国語明細書】
2020044334000001.pdf